(57)【要約】【課題】配線を増やすことなくスピーカを増設することができる楽音発生システムを提供する。【解決手段】ＤＶＤユニット１には、ＤＶＤプレーヤ、モニタおよびスピーカが組み込まれている。エアコン２は、視聴者の後方の壁面に設置され、内部に２個のスピーカおよびスピーカを駆動する回路がセットされている。ＤＶＤユニット１はオーディオデータを電源ラインＬを介して、インターネットプロトコルに従ってエアコン２へ送信する。そのオーディオデータはエアコン２内のインターネットシステムにおいて受信され、内部の記憶装置に記憶される。そして、この記憶装置内のデータが読み出され、アナログ信号に変換され、スピーカへ出力される。この場合、ＤＶＤプレーヤの画像データとオーディオ信号との同期が、赤外線信号を利用して採られる。【選択図】    図１
2004229221.tif 000002
【特許請求の範囲】
【請求項１】
楽音データを出力する本体ユニットと、前記楽音データに基づく楽音を発生する楽音発生ユニットが設けられたエアコンとから構成される楽音発生システムにおいて、
前記本体ユニットは、前記楽音データをインターネットプロトコルに従って電源ラインへ送信する送信手段を具備し、
前記エアコンは、
前記本体ユニットから電源ラインを介して送信された楽音データをインターネットプロトコルに従って受信する受信手段と、
前記受信手段によって受信された楽音データを一時記憶する記憶手段と、
前記記憶手段内のデータに基づいて楽音信号を生成する楽音信号生成手段と、
前記楽音信号生成手段によって生成された楽音信号に基づく楽音を発生するスピーカと、
を具備することを特徴とする楽音発生システム。
【請求項２】
前記本体ユニットは、同期用データを赤外線信号に変換して前記エアコンへ送信する赤外線送信手段をさらに具備し、
前記エアコンは、
前記本体ユニットから送信された赤外線信号を受信して前記同期用データを復調する赤外線受信手段と、
前記赤外線受信手段から出力された前記同期用データに基づいて前記楽音信号生成手段における楽音信号生成タイミングを決定する同期手段と、
をさらに具備することを特徴とする請求項１に記載の楽音発生システム。
【請求項３】
前記エアコンは、エアコン動作ノイズの打ち消し用データを記憶する記憶手段と、前記打ち消し用データに基づいて打ち消し信号を生成し前記スピーカへ出力する打ち消し音生成手段とをさらに具備することを特徴とする請求項１または請求項２に記載の楽音発生システム。
【発明の詳細な説明】
【０００１】
【発明の属する技術分野】
この発明は、配線量の削減を図った楽音発生システムに関する。
【０００２】
【従来の技術】
近年、ＤＶＤホームシアターシステムが広く普及しつつある。このホームシアターシステムにおいては、５．１チャネルマルチスピーカシステムを設置することが必要であり、視聴者席の後方にも２個のスピーカを設置しなければならない。
【０００３】
ところで、最近、一般家庭の居間にはオーディオシステム以外にもテレビ、パソコン、クーラー等多くの家電製品が設置され、床には多くの配線が張り巡らされている。このため、ホームシアターシステムの設置に際し、視聴者席の後方へスピーカの線を配置することは、見た目にきれいに配置することが難しく、また、手間もかかる問題があった。特に、居間は家族がくつろぐ場であると共に、来客を迎える場でもあり、見苦しい状況は極力回避しなければならない。
なお、本出願に係わる従来の技術として、特許文献１、２に記載されるものが知られている。
【０００４】
【特許文献１】
特開２０００−５９４０４号公報
【特許文献２】
特公平４−１３６０６号公報
【０００５】
【発明が解決しようとする課題】
本発明は上記事情を考慮してなされたもので、その目的は、配線を増やすことなくスピーカを増設することができる楽音発生システムを提供することにある。
【０００６】
【課題を解決するための手段】
この発明は上記の課題を解決するためになされたもので、請求項１に記載の発明は、楽音データを出力する本体ユニットと、前記楽音データに基づく楽音を発生する楽音発生ユニットが設けられたエアコンとから構成される楽音発生システムにおいて、前記本体ユニットは、前記楽音データをインターネットプロトコルに従って電源ラインへ送信する送信手段を具備し、前記エアコンは、前記本体ユニットから電源ラインを介して送信された楽音データをインターネットプロトコルに従って受信する受信手段と、前記受信手段によって受信された楽音データを一時記憶する記憶手段と、前記記憶手段内のデータに基づいて楽音信号を生成する楽音信号生成手段と、前記楽音信号生成手段によって生成された楽音信号に基づく楽音を発生するスピーカとを具備することを特徴とする楽音発生システムである。
【０００７】
請求項２に記載の発明は、請求項１に記載の楽音発生システムにおいて、前記本体ユニットは、同期用データを赤外線信号に変換して前記エアコンへ送信する赤外線送信手段をさらに具備し、前記エアコンは、前記本体ユニットから送信された赤外線信号を受信して前記同期用データを復調する赤外線受信手段と、前記赤外線受信手段から出力された前記同期用データに基づいて前記楽音信号生成手段における楽音信号生成タイミングを決定する同期手段とをさらに具備することを特徴とする。
【０００８】
請求項３に記載の発明は、請求項１または請求項２に記載の楽音発生システムにおいて、前記エアコンは、エアコン動作ノイズの打ち消し用データを記憶する記憶手段と、前記打ち消し用データに基づいて打ち消し信号を生成し前記スピーカへ出力する打ち消し音生成手段とをさらに具備することを特徴とする。
【０００９】
【発明の実施の形態】
以下、図面を参照し、この発明の実施の形態について説明する。図１はこの発明の一実施の形態による楽音発生システムを適用したＤＶＤシステムの全体構成を示す図である。この図において、符号１はＤＶＤプレーヤ、モニタおよびスピーカが組み込まれたＤＶＤユニットであり、居間の床上に設置されている。２は視聴者の後方の壁面に設置されたエアコンであり、このエアコン２の内部に、２個のスピーカおよびスピーカを駆動する回路がセットされている。また、符号Ｌは商用電源ラインである。図２はエアコン２の斜視図であり、この図において、３は空気取り入れ口、４は吹き出し口、５，６はスピーカ、７はマイクロフォン、８は赤外線受光部、９はコンセントである。
【００１０】
図３はエアコン２の電気的構成を示すブロック図である。この図において、１１はエアコンシステムであり、モータ、ファン、熱交換ラジエータ、温度制御回路、赤外線リモコンレシーバ等が設けられている。
１２はオーディオシステムであり、その詳細を図４に示す。図４において、１５はデータインターフェイスであり、バスラインＢ１を介してオーディオデーターを受け取り、また、コントロールデータの出力を行う。１６はＤＳＰ（Ｄｉｇｉｔａｌ  Ｓｉｇｎａｌ  Ｐｒｏｃｅｓｓｏｒ）であり、ＭＰ３圧縮オーディオデータのデコードを行うほか、マイクロフォン７からアンプ１７を介して供給されるエアコン動作ノイズを検出し、検出したエアコン動作ノイズの打ち消しデータを、波形ＲＯＭ１８内のデータを元に生成する。ここで、波形ＲＯＭ１８には予めエアコン動作時の動作ノイズ波形が記憶されている。ＤＳＰ１６はその動作ノイズ波形を読み出し、位相反転してノイズ打ち消し用データを生成する。
【００１１】
また、ＤＳＰ１６はデータインターフェイス１５からオーディオデーターを受け取り、ＤＡＣ（ディジタル／アナログコンバータ）１９へ出力する。ＤＡＣ１９はＤＳＰ１６から出力されるオーディオデータあるいはエアコン動作ノイズ打消しデータをアナログ信号に変換し、アンプ２０を介してスピーカ５および６へ出力するする。
【００１２】
図３において、２４はインターネットシステムであり、電力線を介して図１のＤＶＤユニット１から供給されるデータをインターネットプロトコルに従って受信してバスラインＢ１へ出力し、また、バスラインＢ１を介して供給されるデータをインターネットプロトコルに従って、電力線を介して図１のＤＶＤユニット１へ出力する。インターネット回線を介してダウンロードされる各種データには、エアコンシステム１１のリモートコントロールを行うオン／オフ制御データ、温度制御データ、オーディオシステム１２のアンプコントロール行うボリュームデータ、オーディオ再生されるＭＰ３オーディオデータ、ＤＶＤプレーヤから出力されるサラウンドサウンドデータ等がある。
【００１３】
２６は記憶装置であり、インターネットシステム２４を介して供給されるＭＰ３オーディオデータ、サラウンドサウンドデータが一時記憶される。２８はＣＰＵ（中央処理装置）であり、エアコン２の各部を制御する。２９はＲＯＭ（リードオンリメモリ）であり、ＣＰＵ２８の制御プログラムが記憶されている。
【００１４】
図５は図１のＤＶＤユニット１の構成を示すブロック図である。この図において、３０は各部を制御するＣＰＵ、３１はＣＰＵ３０のプログラムが記憶されたＲＯＭ、３２はＤＶＤドライバである。このＤＶＤドライバは、ＤＶＤディスクから圧縮オーディオデータと圧縮ビデオデータ、タイムスタンプデータを読み出し、オーディオデータおよびタイムスタンプデータをオーディオデコーダ３４へ出力し、ビデオデータおよびタイムスタンプデータをビデオデータバッファ３５へ出力する。ここで、タイムスタンプデータはオーディオデータとビデオデータを同期して再生するための時間情報でＤＶＤディスクの信号フォーマットとして記録されている。
【００１５】
オーディオデコーダ３４は、ＤＶＤドライバ３２から受けた圧縮オーディオデータをデコードし、タイムスタンプデータと共にバスラインＢ２を介して電力線ＤＳＬ  ＭＯＤＥＭ３８へ出力する。電力線ＤＳＬ  ＭＯＤＥＭ３８は、オーディオデコーダ３４から受けたオーディオデータおよびタイムスタンプデータを、インターネットプロトコルに従い、コンセント３９および電源ラインを介して図１のエアコン２の図３のインターネットシステム２４へ出力する。このオーディオデータおよびタイムスタンプデータは図３のインターネットシステム２４を介して図３の記憶装置２６に記憶される。
【００１６】
ビデオデータバッファ３５はＤＶＤドライバ３２から出力された圧縮ビデオデータおよびタイムスタンプデータを一時記憶する。そして、ＣＰＵ３０からの指示を受け、圧縮ビデオデータをビデオデコーダ４１へ出力すると共に、タイムスタンプデータを赤外線トランスミッタ４０へ出力する。ビデオデコーダ４１はその圧縮ビデオデータをデコードし、モニタ４３へ出力する。赤外線トランスミッタ４０は、タイムスタンプデータを赤外線信号に変換し、エアコン２へ送信する。この赤外線信号は、図１のエアコン２の図３のエアコンシステム１１内の赤外線リモコンレシーバにて電気的データに変換され、ＣＰＵ２８へ出力される。ＣＰＵ２８は、このタイムスタンプデータに基づいて記憶装置２６からオーディオデータを読み出し、オーディオシステム１２へ出力する。４４は電源回路であり、コンセント３９を介して入力される商用電源に基づき各種の直流電源を生成し、各部へ出力する。
【００１７】
このような構成において、図１のＤＶＤユニット１とエアコン２との間でオーディオデータを電力線ＤＳＬでインターネット転送する場合、オーディオデータはインターネットプロトコルに従って、パケットという単位でデータ転送される。このためＤＶＤプレーヤのビデオデータとオーディオデータの再生を同期させる必要がある。
【００１８】
このビデオデータとオーディオデータを同期再生するために、次の手順で本実施形態は動作する。図５に示すＤＶＤユニット１において、ＤＶＤドライバ３２から読み出されたオーディオデータとタイムスタンプデータがオーディオデコーダ３４へ入力され、また、ビデオデータとタイムスタンプデータがビデオデータバッファに一時記憶される。
【００１９】
オーディオデータとタイムスタンプデータは、電力線ＤＳＬ  ＭＯＤＥＭ３８、電源コンセント３９を経由して屋内電力線インターネット回線に出力される。そして、図１のエアコン２の図３のインターネットシステム２４を介して記憶装置２６に記憶される。記憶装置２６に全てのオーディオデータとタイムスタンプデータが書き込まれると、ＣＰＵ２８は、ビデオスタート信号をインターネットシステム２４、屋内電力線インターネット回線を経由してＤＶＤユニット１へ送る。このビデオスタート信号は、図１のＤＶＤユニット１の図５のコンセント３９、電力線ＤＳＬ  ＭＯＤＥＭ３８を経由してＣＰＵ３０に入力される。
【００２０】
ＣＰＵ３０はこのビデオスタート信号を受け、ビデオデータバッファ３５へコントロール信号を出力する。ビデオデータバッファ３５はこのコントロール信号を受け、ビデオデータとタイムスタンプデータを出力する。出力されたビデオデータはビデオデコーダ４１においてデコードされ、モニタ４３へ出力される。また、タイムスタンプデータは赤外線トランスミッタ４０にて赤外線信号に変換され、図１のエアコン２へ送信される。
【００２１】
この赤外線信号は、図３のエアコンシステム１１内の赤外線リモコンレシーバにて受信され、電気信号によるタイムスタンプデータに変換されてＣＰＵ２８に入力される。ＣＰＵ２８は、このタイムスタンプデータと記憶装置２６に記憶されたタイムスタンプデータを比較してタイムスタンプデータの一致するオーディオデータを記憶装置２６から読み出し、オーディオシステム１２へ出力する。このオーディオデータはオーディオシステム１２の図４のデータインターフェイス１５、ＤＳＰ１６を介してＤＡＣ１９へ入力され、ここで、アナログ信号に変換され、アンプ２０を介してスピーカ５，６へ供給される。これにより、ビデオデータに同期した楽音がスピーカ５，６から発生する。
【００２２】
このように、上記実施形態は、図１のＤＶＤユニット１におけるビデオデータ再生と、エアコン２におけるオーディオデータ再生の同期を行うために、ＤＶＤユニット１からエアコン２へタイムスタンプデータを赤外線リモコンで転送していることが特徴である。
【００２３】
【発明の効果】
以上説明したように、この発明によれば、エアコンにスピーカおよびスピーカを駆動する回路を設け、電力線インターネットを介してエアコンへオーディオデータを送信し、スピーカを駆動するようにしたので、配線を増やすことなくスピーカを増設することができる。これにより、例えば、ＤＶＤホームシアターシステムのサラウンドデータを電力線インターネット経由でエアコンへ送り、スピーカーで再生することで、従来のＤＶＤホームシアターシステムで必要であったリアスピーカの設置とケーブル配線が不要になる。また、エアコン未使用時に電力線インターネット経由でダウンロードした音楽データーを再生して、リビングルームにＢＧＭを流すことも可能となる。また、インターネット経由で家の外からエアコンをリモートコントロールすることが可能となる。例えば、外出時に携帯電話を使ってインターネット接続を行い、エアコンのＯＮ／ＯＦＦ制御や温度制御が可能となり、家に帰ってから暑い思いをしなくて済む利点が得られる。
また、請求項３の発明によれば、エアコンの動作騒音の打ち消し音を発生させて、エアコンの静音化が可能である。
【図面の簡単な説明】
【図１】この発明の一実施形態による楽音発生システムの全体構成を示す図である。
【図２】図１におけるエアコン２の斜視図である。
【図３】図１におけるエアコン２の電気的構成を示すブロック図である。
【図４】図３におけるオーディオシステム１２の構成を示すブロック図である。
【図５】図１におけるＤＶＤユニット１の構成を示すブロック図である。
【符号の説明】
１…ＤＶＤユニット、２…エアコン、５、６…スピーカ、７…マイクロフォン、８…赤外線受光部、９…コンセント、１１…エアコンシステム、１２…オーディオシステム、１６…ＤＳＰ、１８…波形ＲＯＭ、２４…インターネットシステム、２６…記憶装置、２８…ＣＰＵ、２９…ＲＯＭ、３０…ＣＰＵ、３１…ＲＯＭ、３２…ＤＶＤドライバ、３４…オーディオデコーダ、３５…ビデオデータバッファ、３８…電力線ＤＳＬ  ＭＯＤＥＭ、４０…赤外線トランスミッタ、４１…ビデオデコーダ。
【図１】
2004229221.tif 000003
【図２】
2004229221.tif 000004
【図３】
2004229221.tif 000005
【図４】
2004229221.tif 000006
【図５】
2004229221.tif 000007